(57)【要約】【課題】金属ガスケットのみに基づいて金属ガスケットの製品仕様、製造履歴などの情報を迅速かつ容易に正確に確認することができる金属ガスケットを提供する。【解決手段】配管または機器のフランジ間に装着して使用される平面形状が環状の金属ガスケット１であって、縦断面形状がＣ字状である内径側Ｃリング２と縦断面形状がＣ字状である外径側Ｃリング３とが平面形状において金属ガスケット１と同じ中心軸を有し、内径側Ｃリング２および外径側Ｃリング３の各内面にコイルスプリング４ａ，４ｂがそれぞれ装着され、内径側Ｃリング２と外径側Ｃリング３とが間隔を設けて金属被覆材５で接続され、金属ガスケット１の内部Ｐに存在する内径側Ｃリング２と外径側Ｃリング３との間の金属被覆材５および／または金属ガスケット１の外部Ｑに存在する金属被覆材５の底面に識別コード６が設けられていることを特徴とする。【選択図】図２
0003229513.tif 000002
【実用新案登録請求の範囲】
【請求項１】
配管または機器のフランジ間に装着して使用される平面形状が環状の金属ガスケットであって、縦断面形状がＣ字状である内径側Ｃリングと縦断面形状がＣ字状である外径側Ｃリングとが平面形状において当該金属ガスケットと同じ中心軸を有し、内径側Ｃリングおよび外径側Ｃリングの各内面にコイルスプリングがそれぞれ装着され、内径側Ｃリングと外径側Ｃリングとが間隔を設けて金属被覆材で接続され、当該金属ガスケットの内部に存在する内径側Ｃリングと外径側Ｃリングとの間の金属被覆材および／または当該金属ガスケットの外部に存在する金属被覆材の底面に識別コードが設けられていることを特徴とする金属ガスケット。
【考案の詳細な説明】
【技術分野】
【０００１】
本考案は、金属ガスケットに関する。さらに詳しくは、本考案は、配管、機器などのフランジ間に装着される金属ガスケットに関する。
【背景技術】
【０００２】
バネ入り金属Ｃリングは、リング状のコイルスプリングの全周を横断面形状がＣ字状の金属製の被覆材で被覆したものである。バネ入り金属Ｃリングとして、リング状のコイルスプリングの全周が１枚の金属製の被覆材で被覆されている一重被覆構造を有するバネ入り金属Ｃリングおよびリング状のコイルスプリングの全周が２枚の金属製の被覆材で被覆されている二重被覆構造を有するバネ入り金属Ｃリングが知られている。
【０００３】
一重被覆構造を有するバネ入り金属Ｃリングには、シール面でのなじみ性を向上させるために軟質の金属製の被覆材が用いられている。また、二重被覆構造を有するバネ入り金属Ｃリングには、被覆材に食い込むことを抑制する硬質の金属製の被覆材が二重被覆の内被に用いられ、シール面になじみ性を付与するために軟質の金属製の被覆材が外被に用いられている。バネ入り金属Ｃリングに使用されている外被、内被およびコイルスプリングの材質および寸法は、製品の耐熱性、耐食性、圧縮復元性、製作性、シール性、コストなどを考慮して決定されている。
【０００４】
バネ入り金属Ｃリングは、一重被覆構造および二重被覆構造のいずれの構造を有するものであっても通常、１本で使用されているが、信頼性を向上させたり、漏れを容易に測定したりすることができるようにするために、内径側のバネ入り金属Ｃリングと外径側のバネ入り金属Ｃリングとの複列構造および二重被覆構造を有する金属ガスケットが提案されている。
【０００５】
しかし、前記金属ガスケットでは、バネ入り金属Ｃリングに識別力がないため、例えば、複数の金属ガスケットを梱包箱から取り出したときに各金属ガスケットの製品仕様、製造履歴などを判別することができない。
【考案の概要】
【考案が解決しようとする課題】
【０００６】
本考案は、前記従来技術に鑑みてなされたものであり、金属ガスケットの製品仕様、製造履歴などの情報を迅速かつ容易に正確に確認することができる金属ガスケットを提供することを課題とする。
【課題を解決するための手段】
【０００７】
本考案は、配管または機器のフランジ間に装着して使用される平面形状が環状の金属ガスケットであって、縦断面形状がＣ字状である内径側Ｃリングと縦断面形状がＣ字状である外径側Ｃリングとが平面形状において当該金属ガスケットと同じ中心軸を有し、内径側Ｃリングおよび外径側Ｃリングの各内面にコイルスプリングがそれぞれ装着され、内径側Ｃリングと外径側Ｃリングとが間隔を設けて金属被覆材で接続され、当該金属ガスケットの内部に存在する内径側Ｃリングと外径側Ｃリングとの間の金属被覆材および／または当該金属ガスケットの外部に存在する金属被覆材の底面に識別コードが設けられていることを特徴とする金属ガスケットに関する。
【考案の効果】
【０００８】
本考案の金属ガスケットによれば、金属ガスケットの製品仕様、製造履歴などの情報を迅速かつ容易に正確に確認することができるという優れた効果が奏される。
【図面の簡単な説明】
【０００９】
【図１】本考案の金属ガスケットの一実施態様を示す概略平面図である。
【図２】図１に示される本考案の金属ガスケットのＸ−Ｘ部の概略拡大断面図である。
【考案を実施するための形態】
【００１０】
本考案の金属ガスケットは、前記したように、配管、機器などのフランジ間に装着して使用される平面形状が環状の金属ガスケットである。
【００１１】
本考案の金属ガスケットは、縦断面形状がＣ字状である内径側Ｃリングと縦断面形状がＣ字状である外径側Ｃリングとが平面形状において当該金属ガスケットと同じ中心軸を有し、内径側Ｃリングおよび外径側Ｃリングの各内面にコイルスプリングがそれぞれ装着され、内径側Ｃリングと外径側Ｃリングとが間隔を設けて金属被覆材で接続され、当該金属ガスケットの内部に存在する内径側Ｃリングと外径側Ｃリングとの間の金属被覆材および／または当該金属ガスケットの外部に存在する金属被覆材の底面に識別コードが設けられていることを特徴とする。
【００１２】
以下に、本考案の金属ガスケットを図面に基づいて説明するが、本考案の金属ガスケットは、当該図面に記載されている実施態様のみに限定されるものではなく、本考案の金属ガスケットの範囲内であれば、他の実施態様を有するものであってもよい。
【００１３】
図１は、本考案の金属ガスケットの一実施態様を示す概略平面図である。図１に示されるように、本考案の金属ガスケット１は、その平面形状において環状を有する。本考案の金属ガスケット１の外径は、本考案の金属ガスケット１の用途によって異なるので一概には決定することができないが、通常、５０〜２０００ｍｍ程度である。
【００１４】
図２は、図１に示される本考案の金属ガスケット１のＸ−Ｘ部の概略拡大断面図である。
【００１５】
図２に示されるように、本考案の金属ガスケット１は、縦断面形状がＣ字状である内径側Ｃリング２および縦断面形状がＣ字状である外径側Ｃリング３を有する。内径側Ｃリング２および外径側Ｃリング３は、いずれも、その平面形状において金属ガスケット１と同じ中心軸を有する。
【００１６】
内径側Ｃリング２および外径側Ｃリング３に用いられる材料としては、例えば、ＳＵＳ３０４、ＳＵＳ３１６などのステンレス鋼、ＩＮＣＯＮＥＬ（登録商標）、ニッケル合金などが挙げられるが、本考案は、当該材料の種類によって限定されるものではない。内径側Ｃリング２および外径側Ｃリング３には、それぞれコイルスプリング４ａ，４ｂが収納されている。コイルスプリング４ａ，４ｂの直径は、本考案の金属ガスケット１の用途によって異なるので一概には決定することができないが、通常、１.２〜１０ｍｍ程度である。
【００１７】
図２に示される実施態様では、内径側Ｃリング２と外径側Ｃリング３とは、間隔を設けて金属被覆材５で接続されている。金属被覆材５に用いられる材料としては、例えば、アルミニウム、ニッケル、銀、ＳＵＳ３０４Ｌ、ＳＵＳ３１６Ｌなどのステンレス鋼、タンタル、銅などが挙げられるが、本考案は、当該材料の種類によって限定されるものではない。金属被覆材５の厚さは、本考案の金属ガスケット１の用途によって異なるので一概には決定することができないが、通常、０．３〜０．８ｍｍ程度である。
【００１８】
図２に示される実施態様では、金属ガスケット１の内部Ｐに存在する内径側Ｃリング２と外径側Ｃリング３との間の金属被覆材５に識別コード６が設けられ、金属ガスケット１の外部Ｑに存在する金属被覆材５の底面に識別コード６が設けられている。
【００１９】
本考案においては、識別コード６は、金属ガスケット１の内部Ｐに存在する内径側Ｃリング２と外径側Ｃリング３との間の金属被覆材５のみに設けられていてもよく、金属ガスケット１の外部Ｑに存在する金属被覆材５の底面のみに識別コード６が設けられていてもよく、金属ガスケット１の内部Ｐに存在する内径側Ｃリング２と外径側Ｃリング３との間の金属被覆材５および金属ガスケット１の外部Ｑに存在する金属被覆材５の底面の双方に識別コード６が設けられていてもよい。
【００２０】
識別コード６としては、例えば、数字、○、△、×などの記号・図形、アルファベットなどの文字、バーコード、ＱＲコード（登録商標）などが挙げられるが、本考案は、かかる例示のみに限定されるものではない。これらの識別コードは、それぞれ単独で用いてもよく、２種類以上を併用してもよい。識別コード６の大きさおよび範囲は、本考案の金属ガスケット１の用途に応じて適宜選択することができる。識別コード６に読み込まれる情報としては、例えば、金属ガスケット１の製造日、出荷日、ロット番号などの製造情報、品質情報、メンテナンスなどの管理情報などが挙げられるが、本考案は、かかる例示のみに限定されるものではない。
【００２１】
識別コード６は、例えば、刻印、印刷、識別コードが印刷されているフィルムの貼付などの手段により、金属被覆材５に設けることができる。これらの手段は、本考案の金属ガスケット１の用途に応じて適宜選択して用いることが好ましい。これらの手段のなかでは、耐熱性および耐久性に優れていることから、刻印および印刷が好ましく、刻印が最も好ましい。
【００２２】
以上のようにして構成される本考案の金属ガスケット１は、識別コード６が設けられていることから、金属ガスケット１のみに基づいて金属ガスケット１の製品仕様、製造履歴などの情報を迅速かつ容易に正確に確認することができる。
【符号の説明】
【００２３】
１    金属ガスケット
２    内径側Ｃリング
３    外径側Ｃリング
４ａ  コイルスプリング
４ｂ  コイルスプリング
５    金属被覆材
６    識別コード
Ｐ    金属ガスケットの内部
Ｑ    金属ガスケットの外部
【図１】
0003229513.tif 000003
【図２】
0003229513.tif 000004